(57)【要約】【課題】セルフタイマー撮影時に露光開始までの時間経過を、カメラより遠方の被写体側からでも十分に確認することができるカメラの表示装置を提供する。【解決手段】セルフタイマー撮影時に用いられる表示装置９を構成し、縦一列、等間隔となっているＬＥＤ１０〜１４は被写体より観察可能なカメラ２の前面に設けられている。電源を入れた後、操作部１９の操作によりセルフタイマー撮影を設定すると、その信号を受けたシステム制御部３３はＬＥＤドライバ３８を介して、ＬＥＤ１０〜１４の駆動を開始する。セルフタイマー撮影を設定すると同時にＬＥＤ１０〜１４はそれぞれ点灯する。一定の時間経過とほぼ比例してＬＥＤ１４から１０にかけて順々に消灯していき、全てのＬＥＤが消灯すると同時にシャッタが切れ撮影が行なわれる。【選択図】        図４
2004151570.tif 000002
【特許請求の範囲】
【請求項１】
セルフタイマー撮影時に露光開始のタイミングを被写体側に通知するための表示部を備えたカメラの表示装置において、
前記表示部は一列に配置された複数の発光部からなり、露光開始までの時間経過に伴い一方から他方へ順々に発光又は消灯することを特徴とするカメラの表示装置。
【請求項２】
前記複数の発光部の発光色が、一方から他方にかけて段階的に異なることを特徴とする請求項１記載のカメラの表示装置。
【請求項３】
前記表示部は、セルフタイマー非撮影時にはカメラの各種状態の確認に用いられることを特徴とする請求項１又は２記載のカメラの表示装置。
【発明の詳細な説明】
【０００１】
【発明の属する技術分野】
本発明は、セルフタイマー撮影時に撮影タイミングを知らせるカメラの表示装置に関するものである。
【０００２】
【従来の技術】
撮影者自身が被写体となり撮影を行なうことができるセルフタイマー機能を有したカメラが広く普及している。セルフタイマー撮影時には、シャッタの切れるタイミングを被写体側より確認できることが必要となることから、様々な手段が施されている。
【０００３】
例えば、断続的な音を発生させその時間間隔を変化させたり、発光部を点滅させその時間間隔を変化させることなどが知られている。これらの場合、被写体側は主に時間間隔の減少を察知することで、シャッタの切れるタイミングを測ることになるが、セルフタイマー設定から露光開始までの時間経過を確認するには不十分であった。このため、ユーザは間際になるまでシャッタの切れるタイミングをうかがい知れなかった。
【０００４】
そこで、特許文献１記載のカメラの表示装置では、バーグラフ表示を用いることによって、セルフタイマー撮影時の露光開始までの時間経過を確認できるようにしている。ところがこのバーグラフ表示は、操作者がカメラの各種状態等を確認するために設けられた表示部内の表示の一部であり、被写体側に情報を通知するためのものではなかった。
【０００５】
【特許文献１】
特開２００１−１８８６３２号公報
【０００６】
【発明が解決しようとする課題】
セルフタイマー撮影時には、シャッタの切れるタイミング及びそれまでの時間経過を確認できることにより、被写体側のユーザは余裕をもってポーズをとることができる。しかしながら従来の表示装置では、シャッタの切れるタイミングは確認できるが、それまでの時間経過を確認するには不十分であり、時間経過を確認できる特許文献１記載の表示装置にしても被写体用ではなく、たとえ時間経過を確認できるバーグラフ表示が被写体側に向けられたとしても、カメラより遠方の被写体側からは確認できないとおもわれる。
【０００７】
本発明は上記背景を考慮してなされたもので、セルフタイマー撮影時に露光開始までの時間経過を、カメラより遠方の被写体側からでも十分に確認することができるカメラの表示装置を提供することを目的とする。
【０００８】
【課題を解決するための手段】
上記目的を達成するために、本発明では、セルフタイマー撮影時に露光開始のタイミングを被写体側に通知するための表示手段を備えたカメラの表示装置において、表示手段を一列に配置された複数の表示素子として、これら複数の表示素子が露光開始までの時間経過に伴い一方から他方へ順々に発光又は消灯するようにしている。また、複数の表示素子の発光色を一方から他方にかけて段階的に異なるようにしている。また、セルフタイマー非撮影時には、表示手段がカメラに関する各種情報の確認に用いられるようにしている。
【０００９】
【発明の実施の形態】
図１及び図２は、本発明を実施した表示装置を有するカメラの外観図である。カメラ２は、スチル撮影を行なう撮影モードと、撮影画像を再生する再生モードを備えている。
【００１０】
カメラ２の前面には、撮影レンズ３が組み込まれたズームレンズ鏡筒４，ファインダ５を構成する対物側ファインダ窓６，被写体に向けてストロボ光を照射するストロボ発光部７，シャッタレリーズ操作に用いられるシャッタボタン８，セルフタイマー撮影時に用いられる表示装置９を構成し、縦一列、等間隔に配置されたＬＥＤ１０〜１４が設けられている。
【００１１】
カメラ２が電源オフ状態にある際には、撮影レンズ３が組み込まれたズームレンズ鏡筒４は、鏡筒収納部１５内に沈胴してレンズバリア（図示せず）により保護されて収納されている。カメラ２の電源が入ると、レンズバリアが開き撮影レンズ３がカメラ２の前面から突出する。
【００１２】
カメラ２の一方の側面には、メモリカード（図２参照）がセットされるメモリカードスロット１６が設けられている。メモリカードスロット１６は、塵芥の侵入等を防止するために、開閉式の保護カバー１７によって保護されている。
【００１３】
カメラ２の背面には、ファインダ５を構成する接眼側ファインダ窓１８、操作部１９、ビューファインダとして機能する画像表示用ＬＣＤ２０等が設けられている。操作部１９内には、電源ボタン２１と、複数の操作ボタン２２〜２４と、各種設定等の情報を表示する設定用ＬＣＤ２５とが設けられている。操作ボタン２２〜２４を操作することで、セルフタイマー撮影等を設定することができる。
【００１４】
カメラ２には、交換自在な乾電池型のバッテリー（図２参照）がセットされるバッテリー室２６が設けられており、カメラ２の底面には、バッテリーの装填、交換をするための開口部２７が設けられている。この開口部２７は、蓋部材２８によって開閉される。
【００１５】
図３は、カメラのブロック図である。電源ボタン２１を押すと電源部３０がバッテリー３１によって駆動し、電源が入る。電源が入ると、鏡筒収納部１５のレンズバリアが開き、撮影レンズ３が組み込まれたズームレンズ鏡筒４が出てくる。操作部１９で動画モードか静止画像モードで撮影するか、ズームなどの撮影方法を設定する。撮影方法の設定後、画像表示用ＬＣＤ２０に表示された被写体画像を見ながらフレーミングを行い、シャッタボタン８を押して撮影を行う。
【００１６】
このとき、撮影レンズ３、ＣＣＤ等からなる撮像部３２から取り込まれた画像データはシステム制御部３３に送られる。システム制御部３３では、撮像部３２から入力された画像データを電気信号に変換してメモリ制御部３４に送る。メモリ制御部３４はシステム制御部３３から送られた画像データを内蔵メモリ３５またはメモリカード３６に書き込む。
【００１７】
内蔵メモリ３５は、画像表示用ＬＣＤ２０をビューファインダとして使用する際に、解像度の低い画像データが一時的に記録される。内蔵メモリ３５に記録された画像データはメモリ制御部３４によって読み出され、システム制御部３３、ＬＣＤ制御回路３７に送られ、画像表示用ＬＣＤ２０に画像が表示される。
【００１８】
図３は、本発明の第一実施形態における、セルフタイマー撮影時の時間経過に伴うＬＥＤの状態を示している。電源を入れた後、操作部１９の操作によりセルフタイマー撮影を設定すると、その信号を受けたシステム制御部３３はＬＥＤドライバ３８を介して、ＬＥＤ１０〜１４の駆動を開始する。セルフタイマー撮影を設定すると同時にＬＥＤ１０〜１４はそれぞれ点灯する。一定の時間経過とほぼ比例してＬＥＤ１４から１０にかけて順々に消灯していき、全てのＬＥＤが消灯すると同時にシャッタが切れ撮影が行なわれる。このことにより、シャッタの切れるタイミング及びそれまでの時間経過を被写体側に通知している。
【００１９】
操作部１９の操作によりバッテリー残量を確認するためのバッテリチェックを設定すると、その信号を受けたシステム制御部３３は、電源部３０を介してモニタしたバッテリー３１の残量データを基に、ＬＥＤドライバ３８を介してＬＥＤ１０〜１４を駆動する。バッテリー３１の残量が１００％から８０％の場合、ＬＥＤ１０〜１４はそれぞれ点灯し、バッテリー３１の残量が８０％、６０％、４０％、２０％を切るごとに、ＬＥＤ１４から１１の順に一つずつ消灯される。バッテリ４０の残量が０％になると、ＬＥＤはすべて消灯される。
【００２０】
セルフタイマー撮影でない撮影モードが設定されている場合、被写体との距離データが撮影不可能な至近距離であれば、システム制御部３３は、ＬＥＤドライバ３８を介してＬＥＤ１０を点灯させる。また、シャッタスピードが手ブレの影響を受ける程遅く制御されると、システム制御部３３は、ＬＥＤドライバ３８を介してＬＥＤ１４を点灯させる。このように、表示装置９は、撮影モード時の警告表示として使用されることとなり、警告の内容に応じて点灯させるＬＥＤを換えることで、ユーザは警告内容を把握することができる。
【００２１】
図４は、本発明の第二実施形態における、セルフタイマー撮影時の時間経過に伴うＬＥＤの状態を示している。第一実施形態では、各々のＬＥＤの発光色を同一としたが、第二実施形態では、ＬＥＤ１０の発光色を赤色に、ＬＥＤ１１、１２の発光色を黄色に、ＬＥＤ１３、１４の発光色を青色にしている。
【００２２】
第一実施形態と同様に、各々のＬＥＤの発光、消灯が制御され、時間経過とともに、ＬＥＤは順々に消灯していき全てのＬＥＤが消灯すると同時にシャッタが切れ撮影が行なわれる。このとき、各々のＬＥＤの発光色を段階的に異なるようにしたことで、シャッタの切れるタイミング及びそれまでの時間経過をより確実に被写体側に通知することができる。
【００２３】
また、第二実施形態では、バッテリ残量表示及び警告表示におけるＬＥＤの発光も第一実施形態と同様の構成で制御されており、各々のＬＥＤの発光色を段階的に異なるようにしたことで、ユーザはバッテリ残量及び警告の対象を確実に把握することができる。
【００２４】
各実施形態では、セルフタイマー時間を各々のＬＥＤの発光から消灯で表示したが、消灯から点灯で表示しても良い。また、発光部としてＬＥＤを用いたが、ＬＣＤやＥＬ等を用いても良い。また、セルフタイマー非撮影時には、表示装置はバッテリ残量表示及び警告表示に使用されるようにしたが、これ以外でもよく、例えばバッテリ充電時の充電量表示や、顔撮影モード、夜間モード、スポーツモード等の様々な撮影モードを有するカメラの撮影モード表示等に使用されるようにしても良い。
【００２５】
【発明の効果】
以上説明したように、本発明によれば、カメラより遠方の被写体からでも露光開始のタイミング及びそれまでの時間経過を十分に確認することができるので、被写体となるユーザは余裕をもってポーズをとることができる。また、セルフタイマー非撮影時には、セルフタイマー時間の表示装置が各種状態の確認に使用されるようにしたので、部品点数を削減することができる。
【図面の簡単な説明】
【図１】本発明を実施した表示装置を有するカメラの正面側外観図である。
【図２】本発明を実施した表示装置を有するカメラの背面側外観図である。
【図３】本発明を実施した表示装置を有するカメラの電気的構成を示すブロック図である。
【図４】本発明の第一実施形態における、セルフタイマー撮影時の時間経過に伴うＬＥＤの状態を示す説明図である。
【図５】本発明の第二実施形態における、セルフタイマー撮影時の時間経過に伴うＬＥＤの状態を示す説明図である。
【符号の説明】
２  カメラ
９  表示装置
１０、１１、１２、１３、１４  ＬＥＤ
１９  操作部
３３  システム制御部
３８  ＬＥＤドライバ
【図１】
2004151570.tif 000003
【図２】
2004151570.tif 000004
【図３】
2004151570.tif 000005
【図４】
2004151570.tif 000006
【図５】
2004151570.tif 000007